(57)【要約】【課題】使用時開始時に常にラップフィルムの先端が定位置に突出して存在するようにして蓋をいちいち開放することなくフィルム先端の摘みあげを容易に行なうことができるようにする。【解決手段】蓋体４が、ケース本体３内に押圧によって入り込む構成とし、一方その切断刃６をケース本体３の第２の長辺側面の開口縁に設けた構成とするものであり、ラップフィルム２ｂの切断にあたっては、蓋体４をケース本体３内に所要量押入させた状態で、切断し、切断後に蓋体を元位置に復元させ、この復元量に応じた長さをもって、ラップフィルムの先端部が、外部に押し出されて突出した状態で残されるようにすることによってフィルムの切断先端を例えば手探りでも摘むことができるようにする。【選択図】図１
2007161284.tif 000002
【特許請求の範囲】
【請求項１】
ラップフィルムロールが収容されるケース本体と、蓋体とを有し、
上記ケース本体は、底面と該底面の長手方向に沿う相対向する第１および第２の長辺側面と、該第１および第２の長辺側面の両端間に差し渡る第１および第２の短辺側面とを有し、上記底面と対向する上面が開放されてラップフィルムロールの出し入れがなされる開口とされ、
上記蓋体は、上記開口を開閉する上面部と、ガイド片とを有して成り、
上記蓋体の上面部は、上記開口に臨む上記第１の長辺側面の開口縁部に対して回動可能に配置され、該回動によって上記開口内に押圧挿入可能の外形状を有し、かつ上記押圧を解除することによって上記開口縁位置に復元するようになされ、
上記ガイド片は、上記上面部の遊端側の縁部に回動可能に配置され、
上記上面部の上記ケース本体内への押圧復元に応じて上記第２の長辺側面の内面に沿って移動する構成とされ、
上記第２の長辺側面の上記開口に臨む開口縁部に上記ラップフィルムを切断する切断刃が配置され、
上記ラップフィルムは、初期の使用開始の状態では、上記ラップフィルムロールからラップフィルムの先端部が上記ガイド片と上記第２の長辺側面の内面との間から上記切断刃を超えて上記ケース本体から引き出された状態とされ、
上記ラップフィルムの切断にあっては、上記蓋体の上記上面部の押圧によって上記蓋体を上記ケース本体内に所要量押入させた状態で、上記切断刃によって上記ラップフィルムを切断し、切断後上記上面部に対する押圧を解除することによって上記蓋体を元位置に復元させ、この復元量に応じた長さをもって、上記ラップフィルムの先端部が、外部に押し出されて突出した状態で残される構成としたことを特徴とするラップフィルムケース。
【請求項２】
上記底面と、上記第１および第２の長辺側面と、上記第１および第２の短辺側面と、上記蓋体とが連続する１枚のシートによって構成されたことを特徴とする請求項１に記載のラップフィルムケース。
【請求項３】
上記第１の長辺側面と上記上面部との稜線形状をケース内面側に溝を有する形状、もしくは突条を有する形状とすることによって上記蓋体の回動可能なヒンジ機能と上記元位置への復元力を付与する構成としたことを特徴とする請求項２に記載のラップフィルムケース。
【請求項４】
上記蓋体の上記ガイド片を、上記ケース本体に対する蓋体の押入量の規制体とすることを特徴とする請求項１に記載のラップフィルムケース。
【請求項５】
上記蓋体のガイド片の外面に上記蓋体の復元に際して上記ガイド片と共に上記ラップフィルムの先端部を外部に押し出し突出させるための所要の摩擦力を付与する加工部、もしくは粘着部を形成することを特徴とする請求項１に記載のラップフィルムケース。
【請求項６】
ラップフィルムロールが収容されたロールケースを収納するケース本体と蓋体とを有し、
上記ケース本体は、底面と該底面の長手方向に沿う相対向する第１および第２の長辺側面と、該第１および第２の長辺側面の両端間に差し渡る第１および第２の短辺側面とを有し、上記底面と対向する上面が開放されてラップフィルムロールの出し入れがなされる開口とされ、
上記蓋体は、上記開口に臨む上記第１の長辺側面の開口縁部に対して回動可能に配置され、該回動によって上記開口内に押圧挿入可能の外形状を有し、
上記第２の長辺側面の上記開口に臨む開口縁部に上記ラップフィルムを切断する切断刃が配置され、
上記ケース本体内に上記ロールケースと上記ケース本体の底面との間に弾性体を介在させて収容し、
上記ラップフィルムは、初期の使用開始の状態では、上記ロールケース内のラップフィルムロールからラップフィルムの先端部が上記ロールケースの外面と上記第２の長辺側面の内面との間から上記切断刃を超えて上記ケース本体から引き出された状態とされ、
上記ラップフィルムの切断にあっては、上記蓋体を上記ケース本体内のロールケースとともに上記弾性体の偏倚力に抗して所要量押入させた状態で、上記切断刃によって上記ラップフィルムを切断し、切断後は、上記蓋体に対する押圧を解除することによって上記弾性体の偏倚力により上記蓋体および上記ロールケースを元位置に復元させ、この復元量に応じた長さをもって、上記ラップフィルムの先端部が、外部に押し出されて突出した状態で残される構成としたことを特徴とするラップフィルムケース。
【請求項７】
上記弾性体が上記ケース本体の底面に配置されたことを特徴とする請求項６に記載のラップフィルムケース。
【請求項８】
上記ロールケースは、ラップフィルムの切断刃を具備しないあるいは具備するロールケースであることを特徴とする請求項６に記載のラップフィルムケース。
【請求項９】
上記底面と、上記第１および第２の長辺側面と、上記第１および第２の短辺側面と、上記蓋体とが連続する１枚のシートによって構成されたことを特徴とする請求項６に記載のラップフィルムケース。
【発明の詳細な説明】
【技術分野】
【０００１】
本発明は、ラップフィルムケースに関する。
【背景技術】
【０００２】
食品包装等に用いられるポリエチレンフィルム等によるラップフィルムは、円筒状の巻き芯に巻回され、このロールが、ケースに収容され、使用に際して、このロールに巻き込まれたラップフィルムを、ケース外に引き出し、ケースの蓋の縁部に設けられた鋸歯状のフィルム切断刃によって切断するという構造が一般にとられている。
【０００３】
この場合、切断後の残されたフィルムの先端は、切断刃の先端位置となる。したがって、次の使用に際してのフィルム先端の摘みあげには、蓋をいちいち開放して取り出す必要がある。また、フィルム先端部は、基本的に切断刃の先端位置にあることからフィルム先端の摘み上げに際して切断刃によって怪我することがないように注意を払いながら取り出すことに工夫を要する。
【０００４】
また、実際には、フィルムが引き伸ばされた状態で切断されることから、切断されたフィルムの収縮ないしはロールへの引き戻しによって、その切断先端が、引き戻されることから、そのフィルム切断先端位置が特定されず、フィルム先端位置を目視で確認して摘むなどを必要としている。
更に、フィルムが、静電気を帯びやすいことからケースに被着して、よりフィルムの切断先端の摘み上げが困難となる。
このようにフィルムの取り扱いは、健常者によっても容易でなく、ましてハンディキャップ者、老齢者にあっては特に問題のあるところである。
【０００５】
このため、フィルム先端の取り扱いに対し、種々の提案がなされているところであり、例えばフィルム先端を簡単に摘むための工夫も多くなされている（例えば特許文献１参照）。
ところが、この場合においても、この構造部の製造が煩雑であり、また、蓋の開放を行なう必要があるなどの問題が残っている。
【０００６】
更に、通常ラップフィルムには、その収容ケースは紙製で、これに金属、プラスチック等の鋸歯状切断刃が、かしめられていることから、フィルムを使いきった後には、収容ケースから切断刃を引き剥がして、分別ごみ処理をすることがなされ、手間の問題、さらには、多くの切断刃が無駄となり、資源の節約を阻害し、かつ危険である。
【特許文献１】特開平１１−５９６９０号公報
【発明の開示】
【発明が解決しようとする課題】
【０００７】
本発明は、ラップフィルムの切断後に、常にそのラップフィルムの先端が定位置にあって使用開始時に無造作に視覚に頼らずともその先端の摘み上げを可能にし、しかも蓋をいちいち開放することなくフィルム先端の摘みあげを可能にして、健常者、ハンディキャップ者、老齢者等を問わずその取り扱いの簡便化を図ることができるようにしたラップフィルムケースを提供するものである。
【０００８】
また、本発明は、ラップフィルムのロールが収容され、切断刃を有する例えば通常市販ラップフィルムケースによるロールケースを用いて、あるいは切断刃が設けられていないラップフィルムのロールが収容されたロールケースを用いて、これらにおいて、上述したように、ラップフィルムの切断後に、その切断先端が常に定位置にあって使用開始時に無造作に視覚に頼らずともその先端の摘み上げを可能にすることができるようにした新規な、ラップフィルムケースを提供するものである。そして、この場合、切断刃が設けられていないロールケースのみを交換して使用することによって、切断刃の無駄、すなわち資源の問題や、これを取り外すことによる手間の解消を図ることができるものである。
【課題を解決するための手段】
【０００９】
本発明による第１のラップフィルムは、ラップフィルムロールが収容されるケース本体と、蓋体とを有し、上記ケース本体は、底面と該底面の長手方向に沿う相対向する第１および第２の長辺側面と、該第１および第２の長辺側面の両端間に差し渡る第１および第２の短辺側面とを有し、上記底面と対向する上面が開放されてラップフィルムロールの出し入れがなされる開口とされ、上記蓋体は、上記開口を開閉する上面部と、ガイド片とを有して成り、上記蓋体の上面部は、上記開口に臨む上記第１の長辺側面の開口縁部に対して回動可能に配置され、該回動によって上記開口内に押圧挿入可能の外形状を有し、かつ上記押圧を解除することによって上記開口縁位置に復元するようになされ、上記ガイド片は、上記上面部の遊端側の縁部に回動可能に配置され、上記ガイド片は、上記上面部の遊端側の縁部に回動可能に配置され、上記上面部の上記ケース本体内への押圧復元に応じて上記第２の長辺側面の内面に沿って移動する構成とされ、上記第２の長辺側面の上記開口に臨む開口縁部に上記ラップフィルムを切断する切断刃が配置され、上記ラップフィルムは、初期の使用開始の状態では、上記ラップフィルムロールからラップフィルムの先端部が上記ガイド片と上記第２の長辺側面の内面との間から上記切断刃を超えて上記ケース本体から引き出された状態とされ、上記ラップフィルムの切断にあっては、上記蓋体の上記上面部の押圧によって上記蓋体を上記ケース本体内に所要量押入させた状態で、上記切断刃によって上記ラップフィルムを切断し、切断後上記上面部に対する押圧を解除することによって上記蓋体を元位置に復元させ、この復元量に応じた長さをもって、上記ラップフィルムの先端部が、外部に押し出されて突出した状態で残される構成としたことを特徴とする。
【００１０】
上述の本発明による第１のラップフィルムケースは、蓋体が、ケース本体内に押圧によって入り込む構成とし、一方その切断刃をケース本体の第２の長辺側面の開口縁に設けた構成とするものであり、フィルムの切断にあたっては、蓋体をケース本体内に所要量押入させた状態で、切断し、切断後に蓋体を元位置に復元させ、この復元量に応じた長さをもって、ラップフィルムの先端部が、外部に押し出されて突出した状態で残される構成とするものであるので、次の使用においては、この所要の長さで外部に押し出されたフィルムの切断先端を例えば手探りでも摘むことができる。
【００１１】
また、本発明による第２のラップフィルムケースは、ラップフィルムロールが収容されたロールケースを収納するケース本体と蓋体とを有し、上記ケース本体は、底面と該底面の長手方向に沿う相対向する第１および第２の長辺側面と、該第１および第２の長辺側面の両端間に差し渡る第１および第２の短辺側面とを有し、上記底面と対向する上面が開放されてラップフィルムロールの出し入れがなされる開口とされ、上記蓋体は、上記開口に臨む上記第１の長辺側面の開口縁部に対して回動可能に配置され、該回動によって上記開口内に押圧挿入可能の外形状を有し、上記第２の長辺側面の上記開口に臨む開口縁部に上記ラップフィルムを切断する切断刃が配置され、上記ケース本体内に上記ロールケースと上記ケース本体の底面との間に弾性体を介在させて収容し、上記ラップフィルムは、初期の使用開始の状態では、上記ロールケース内のラップフィルムロールからラップフィルムの先端部が上記ロールケースの外面と上記第２の長辺側面の内面との間から上記切断刃を超えて上記ケース本体から引き出された状態とされ、上記ラップフィルムの切断にあっては、上記蓋体を上記ケース本体内のロールケースとともに上記弾性体の偏倚力に抗して所要量押入させた状態で、上記切断刃によって上記ラップフィルムを切断し、切断後は、上記蓋体に対する押圧を解除することによって上記弾性体の偏倚力により上記蓋体および上記ロールケースを元位置に復元させ、この復元量に応じた長さをもって、上記ラップフィルムの先端部が、外部に押し出されて突出した状態で残される構成としたことを特徴とする。
【００１２】
そして、この第２のラップフィルムケースにあって、上記弾性体が上記ケース本体の底面に配置されることを特徴とする。
また、この第２のラップフィルムケースにあって、上記ロールケースは、ラップフィルムの切断刃を具備しないあるいは具備するロールケースであることを特徴とする。
【００１３】
この本発明による第２のラップフィルムケースは、フィルムロールが収容されたロールケース、具体的には、例えば従来通常の切断刃を有するラップフィルムケース、あるいはフィルムロールが収容された切断刃がないロールケースが収容されるいわば外装のラップフィルムケースであり、これにおいて蓋体をケース本体内に弾性体の偏倚力に抗して所要量押入させた状態で、切断し、切断後に蓋体を元位置に復元させ、この復元とともに、この復元量に応じた長さをもって、ラップフィルムの先端部を、外部に押し出して突出した状態で残す構成とするものであるので、この場合においても次の使用においては、常にロールケースからフィルムを外部に所要量押し出された状態にあるフィルムの切断先端を例えば手探りでも摘むことができる。
【発明の効果】
【００１４】
上述したように、本発明による第１のラップフィルムケースは、蓋体をケース本体内に押圧した状態で、フィルムの切断を行ない、切断後においては、蓋体の復元によって、フィルムの切断端を、外部に押し出す構成としたことにより、常時フィルム切断作業を開始する状態にあっては、その先端が、常に所要の長さに導出された状態にあるので、切断先端を例えば視覚に頼ることなく手探りで無造作に簡単に摘みあげることができる。
【００１５】
また、上述した本発明による第２のラップフィルムケースにあっては、市販のフィルム切断刃を有するロールケース、あるいは切断刃が設けられていないロールケースのいずれのものを用いても、切断後においては、蓋体の復元によって、フィルムの切断端を、外部に押し出す構成としたことにより、常時フィルム切断作業を開始する状態にあって、フィルム先端は、所要量導出された状態にあるので、切断先端を同様に、例えば視覚に頼ることなく手探りで無造作に、簡単に摘みあげることができる。
そして、特にこの第２のラップフィルムケースにあっては、用いるラップフィルムロールとして、切断刃を具備しないロールケースを交換使用することができることによって各フィルムロールごとに切断刃を設ける場合の、資源の問題、分別の煩雑な作業を回避できるものである。
【発明を実施するための最良の形態】
【００１６】
図面を参照して本発明によるラップフィルムケースを説明するが、本発明はこの実施の形態例に限定されるものではない。
［第１の実施の形態例］
図１は本発明によるラップフィルムケース１の一例の外観斜視図である。図２はそのケース１の展開斜視図である。図３および図４はその要部の展開図である。また、図５Ａ〜Ｃはそれぞれその動作を説明する概略断面図である。
【００１７】
ラップフィルムケース１は、ラップフィルムロール２が収容されるケース本体３と、蓋体４とを有して成る。
ケース本体３は、これに収容されるラップフィルムロール２の長さに対応する長さの長方体形状もしくはこれに近い形状を有する。
このケース本体３は、底面３ｂとこの底面３ｂを挟んで長手方向に沿って相対向する第１および第２の長辺側面３ｃおよび３ｄと、これら第１および第２の長辺側面３ｃおよび３ｄの両端間に差し渡る第１および第２の短辺側面３ｅおよび３ｆとを有し、底面３ｂと対向する上面が開放されてラップフィルムロールの出し入れがなされる開口５が形成される。
【００１８】
蓋体４は、開口５を開閉する上面部４ａと、ガイド片４ｂとを有して成る。
蓋体４の上面部４ａは、開口５に臨む第１の長辺側面３ｃの開口縁部に対して回動可能に配置され、常態、すなわち不使用時の開口５に対する閉蓋状態においてはできるだけ開口５を完全に閉蓋できる形状とすることが望ましい。すなわち、上面部４ａは、その外形状が例えば内周形状に対応する外形状とする。しかしながら、この上面部４ａは同時にその回動によって開口５内に押圧挿入可能の大きさに選定される。
【００１９】
また、この上面部４ａには、これに対する押圧力が解除された常態にあっては、開口５の面に一致し、これを実質的に閉蓋する位置に復元する復元力が付与されるようにする。
ガイド片４ｂは、上面部４ａの遊端側の縁部に対して回動可能に構成され、上面部４ａのケース本体３内への押圧、復元に応じて第２の長辺側面３ｆの内面に沿って移動する構成とされる。
【００２０】
第２の長辺側面３ｄの高さは、他の側面の高さより低く、常態時すなわち不使用時における蓋体４の閉蓋状態における上面部４ａの高さより低く選定される。そして、この第２の側面３ｄ開口５に臨む開口縁部に、この開口縁部のほぼ全域に沿って帯状の切断刃６が取り付けられる。この切断刃６は、例えば金属あるいはプラスティックからなる帯状板一側縁に鋸歯状の先端縁が形成され、これが、第２の長辺側面３ｄの開口５の縁部から幾分突出するように第２の長辺側面３ｄの開口縁部の内面もしくは外面にかしめ付け等によって、取着配置される。そして、この状態で、切断刃６の先端が、閉蓋状態の上面部４ａ、両側面３ｅ、３ｆ等の開口縁より例えば５ｍｍ程度低い位置にあって、不使用時の常態時に、この切断刃６に手などが触れて怪我することがないようにする。
さらに、市販時等の未使用時、あるいは保管時においては、後述する図５Ａで示すように、切断刃６を覆って、例えば粘着膜を有する紙製帯等による切断刃カバーシール７０を貼着するにすることができる。
【００２１】
このケース本体３および蓋体４は、一枚のシート、例えば厚紙によって形成することができる。
その一例を図３の展開斜視図をもって説明する。この場合、直方形の底面３ｂと、その長辺に沿う両側縁からそれぞれ折り曲げ線７を介して延長する第１および第２の長辺側面３ｃおよび３ｄが形成され、更に例えば第１の長辺側面３ｃの長手方向と交叉する両短辺の縁部からそれぞれ同様に折り曲げ線７を介して延長する第１および第２の短辺側面３ｅおよび３ｆが形成され、第１の長辺側面３ｃの、底面３ｂとは反対側の長辺の縁部から折り曲げ線７を介して延長する蓋体４の上面部４ａが形成され、その第１の長辺側面３ｃとは反対側の長辺縁部から折り曲げ線７を介して延長するガイド片４ｂが形成される。
更に、例えば第１および第２の短辺側面３ｅおよび３ｆから折り曲げ線７を介してその２辺から接合しろ例えば糊しろ８が延長して形成される。
【００２２】
この構成によるシートを各折り曲げ線７によって内側に折り曲げ、糊しろ８を底面３ｂの両短辺縁部の内面と、第２の長辺側面３ｄの短辺側縁の内面に糊づけ等によって固着する。このようにして前述した図１の構成によるラップフィルムケース１を構成することができる。そして、各折り曲げ線７においてケース本体３を構成する稜線と、蓋体４の上面部４ａおよびガイド片４ｂの回動がなされる稜線を形成する。
【００２３】
この場合、各折り曲げ線７、すなわち稜線形状は、図３に一部を断面とした要部の展開図を示すように、例えば上述した厚紙シートの内面からプレス加工等によって溝加工９を形成することによって折り曲げができるようにし、蓋体４の上面部４ａと第１の長辺側面との間、更に上面部４ａとガイド片４ｂとの間においてそれぞれ溝加工が施された折り曲げ線において、それぞれ回動がなされるヒンジ機能を持たせることができる。
そして、このヒンジ部において、溝の深さおよび幅の選定によって溝の底面、すなわち折り曲げ線７の外面が最初のシート状、すなわち平面性を保持しようとする復元力を作用させることができる。
すなわち、この復元力が、図１において、上面部４ａを本体内に押圧した状態から、その押圧力を開放したしたとき、蓋体４の上面部４ａが開口５の面にほぼ一致する位置に復元させることができる。
【００２４】
図３で示した例では、折り曲げ線７に溝加工を施した場合であるが、例えば図４に示すように、各折り曲げ線７、あるいは少なくとも上述した上面部４ａのヒンジ機能を必要とする折り曲げ線７において、内面に突出する突条１０を形成することによって上述した復元力を与える効果を奏することもできる。
【００２５】
上面部４ａから延長形成されたガイド片４ｂの延長長さは、上面部４ａの押圧状態で、その先端が上記底面３ｂの内面への突き当てによって上面部４ａすなわち蓋体４の押圧による押入量、すなわち降下深さを規定する構成とすることができる。
【００２６】
上述の構成によるラップフィルムケース１において、ラップフィルム２ｂは、初期すなわち最初の使用開始状態では、ラップフィルムロール２から繰り出されたラップフィルム２ｂの先端部がガイド片４ｂと第２の長辺側面３ｄの内面との間から切断刃６の先端の鋸歯状刃先を超えてケース本体３から引き出した状態とする。この引き出しは、ユーザによって引き出すこともできるし、生産時にこのような引き出し状態をあらかじめ形成しておくこともできる。
【００２７】
例えばラップフィルム２ｂの初期の使用に当たって、図５Ａに示すようにラップフィルムケース１内に収容されたロールから、そのフィルム先端を、図示しないが一旦蓋体４を、開いて、内部に収納されているラップフィルムロール２からフィルム先端を、ガイド片４ｂと、第２の長辺側面３ｄとの間から引き出して閉蓋する。
そして、切断刃カバーシール７０を引き剥がし、図５Ｂに示すように、切断刃６上を覆う切断刃カバーフィルム７０を除去して、図５Ａの蓋体４が開口５の開口面とほぼ一致する閉蓋位置の状態から、蓋体４の上面部４ａをケース本体３内に向かって押圧することによって、その遊端側のガイド片４ｂの先端が、底面３ｂの内面に、ラップフィルムを挟み込んで固定させた状態で、切断刃６によってラップフィルム２ｂを切断する。
切断後は、上面部４ａに対する押圧を解除する。このようにすると、図５Ｃに示すように、蓋体４が元位置に復元され、ガイド片４ｂとともにラップフィルムの先端部が、すりあがり、フィルム先端部が、蓋体４の復元量に応じた長さａ例えば１０ｍｍをもって、外部に押し出されて突出させることができる。
【００２８】
この場合、ガイド片４ｂによるラップフィルムの先端部を外部に押し出し突出させる動作を更に良好に行わせることが望ましい資材によってラップフィルムケースが構成されるときは、ガイド片４ｂの外面の例えば一部にラップフィルムに対して所要の摩擦力を付与する加工部、もしくは粘着部を形成することができる。
【００２９】
［第２の実施形態例］
図６はこの実施形態例におけるラップフィルムケース５１の一部を断面とした一例の外観斜視図、図７はその分解斜視図、図８はラップフィルムケース５１の展開斜視図である。また、図９Ａ〜Ｃはそれぞれその動作を説明する概略断面図である。
前述した第１の実施形態例においては、本発明によるラップフィルムケース１に、直接的にラップフィルムロール２を収容させる構成とした場合であるが、この第２の実施形態例のラップフィルムケース５１においては、図６に示すように、ラップフィルムロール２が収容されたロールケース４０を収容して用いる構成を有する。
このロールケース４０は、例えば図６および図７に示すように、ラップフィルムロール２が収容され、ラップフィルム２ｂの切断刃４１を有する例えば市販のラップフィルムケースをそのまま用いるか、あるいは例えば図１０に外観斜視図を示すように、ラップフィルムロール２が収容されるものの、切断刃４１を具備しないロールケース４０が用いられる。
そしてこれらロールケース４０を用いる場合においても、ラップフィルム２ｂの先端２ｂｓを、常時所要の長さ例えば１０ｍｍだけ外部に突出させる構成とするものである。
【００３０】
この実施の形態例においては、図６および図７に示すように、ロールケース４０は、前述したラップフィルムロール２が収容されるロールケース本体４２と、ロールケース蓋体４３とを有して成る。ロールケース蓋体４３は、ロールケース本体４２に対する閉蓋状態で、ロールケース４０の一長辺側面４４の外面に対向する長辺蓋体側面４５を有し、この長辺蓋体側面４５の端縁に沿ってラップフィルムの切断刃４１が配置されて成る。
【００３１】
ラップフィルムケース５１は、ロールケース４０を収容するケース本体５３と蓋体５４とを有し、これらケース本体５３と蓋体５４は、前述した第１の実施形態例におけるケース本体３と蓋体４とに準じた構成とすることができる。
しかしながら、この場合、ケース本体５３は、これに収容されるラップフィルムロール２が収容されたロールケース４０の外形に対応する外形を有する長方体形状もしくはこれに近い形状を有する。
【００３２】
ケース本体５３は、底面５３ｂとこの底面５３ｂを挟んで長手方向に沿って相対向する第１および第２の長辺側面５３ｃおよび５３ｄと、これら第１および第２の長辺側面５３ｃおよび５３ｄの両端間に差し渡る第１および第２の短辺側面５３ｅおよび５３ｆとを有し、底面５３ｂと対向する上面が開放されてロールケース４０の出し入れがなされる開口５５が形成される。
ケース本体５３の底面５３ｂには、弾性体６０、例えば図示のような板ばね、あるいはコイルばね等が配置され、底面５３と、ロールケース４０との間にこの弾性体６０が介在されることによってロールケース４０を押し上げる偏倚力が生じるようになされる。
【００３３】
第２の長辺側面５３ｄの開口５５に臨む開口縁部には、この開口縁部のほぼ全域に沿って帯状の切断刃５６が取り付けられる。この切断刃５６は、例えば金属あるいはプラスティックからなる帯状板一側縁に鋸歯状の先端縁が形成され、これが、開口５５の縁部より幾分突出するように第２の長辺側面５３ｄの開口縁部の内面もしくは外面に取着配置される。この場合においても、第２の長辺側面５３の高さを他の側面に比して低め、切断刃５６の先端位置を、他の側面における開口縁より幾分低く後退させることができる。
【００３４】
蓋体５４は、開口５５を開閉する上面部５４ａと、必要に応じて設けられる上述した切断刃５６を覆う保護カバー５４ｂとを有して成る。
蓋体５４の上面部５４ａは、開口５５に臨む第１の長辺側面５３ｃの開口縁部に対して回動可能に配置されケース本体５３に収容されたロールケース４０上に、このロールケース４０の長手方向に沿うように帯状に形成される。また、この上面部５４ａは、その回動によって開口５内に押圧挿入可能な大きさに選定される。
【００３５】
そして、弾性体６０の偏倚力によって、上述したように、ロールケース４０が押し上げられ、この上の蓋体５４の上面部５４ａ開口５５の面とほぼ一致するようになされる。
【００３６】
また、この場合においても、ケース本体５３および蓋体５４は、一枚のシート、例えば厚紙によって形成することができる。
その一例を図８の展開斜視図をもって説明する。この場合、直方形の底面５３ｂと、その長辺に沿う両側縁からそれぞれ折り曲げ線７を介して延長する第１および第２の長辺側面５３ｃおよび５３ｄが形成され、更に例えば第１の長辺側面５３ｃの長手方向と交叉する両短辺の縁部からそれぞれ同様に折り曲げ線７を介して延長する第１および第２の短辺側面５３ｅおよび５３ｆが形成され、第１の長辺側面５３ｃの、底面５３ｂとは反対側の長辺の縁部から折り曲げ線５７を介して延長する蓋体５４の上面部５４ａが形成され、その第１の長辺側面５３ｃとは反対側の長辺縁部から折り曲げ線５７を介して延長するガイド片５４ｂが形成される。
更に、例えば第１および第２の短辺側面５３ｅおよび５３ｆから折り曲げ線５７を介してその２辺から接合しろ例えば糊しろ５８が延長して形成される。
【００３７】
この構成によるシートを各折り曲げ線５７によって内側に折り曲げ、糊しろ５８を底面５３ｂの両短辺縁部の内面と、第２の長辺側面５３ｄの短辺側縁の内面に糊づけ等によって固着する。このようにして前述した図６および図７で説明した構成による本発明によるラップフィルムケース５１を構成することができる。そして、各折り曲げ線５７がケース本体５３を構成する稜線と、蓋体５４の上面部５４ａおよび保護カバー５４ｂの回動がなされる稜線を形成する。
【００３８】
この場合、各折り曲げ線５７、すなわち稜線形状は、図３で示したように、例えば上述した厚紙シートの内面からプレス加工等によって溝加工９を形成することによって折り曲げができるようにし、蓋体５４の上面部５４ａと第１の長辺側面５３ｃとの間、更に上面部５４ａと保護カバー５４ｂとの間においてそれぞれ溝加工が施された折り曲げ線において、それぞれ回動がなされるヒンジ機能を持たせることができる。
【００３９】
この構成によるラップフィルムケース５１において、ロールケース４０は、図６および図７に示すように、その蓋体４２の切断刃４１が設けられた面が、ラップフィルムケース５１の切断刃５６を有する第２の長側面５３ｄの内面に対接する位置関係をもって収容される。そして、ロールケース４０からのラップフィルム２の取り出し方向が、ケース本体５３の開口５５に向かう方向に選定される。
【００４０】
そして、初期の使用開始状態で、ロールケース４０の蓋体４２の切断刃４１が設けられた縁部から引き出されたラップフィルム２ｂの先端部が、ロールケース４０の外側面とラップフィルムケース５１の切断刃４１が設けられた第２の長辺側面３ｄの内面との間から切断刃５６の先端の鋸歯状刃先を超えてケース本体５３から引き出される。この引き出しは、ユーザによって引き出すこともできるし、生産時にこのような引き出し状態をあらかじめ形成しておくこともできる。
【００４１】
ラップフィルム２ｂの切断にあっては、図９Ａに示す蓋体５４が開口５５の開口面とほぼ一致する閉蓋位置の状態から、図９Ｂに示すように、蓋体５４の上面部５４ａをケース本体５３内に向かって弾性体６０の偏倚力に抗して押圧することによって、ロールケース４０押下させた状態で、切断刃５６によってラップフィルムを切断する。
切断後は、上面部４ａに対する押圧を解除する。このようにすると、図９Ｃに示すように、弾性体６０の偏倚力によってロールケース４０および蓋体５４が元位置に復元され、同時にラップフィルム２ｂの先端部が、すりあがり、フィルム先端部が、蓋体４の復元量に応じた長さをもって、外部に押し出されて突出する。
【００４２】
この場合、ラップフィルムケース５１のラップフィルム２ｂがガイドされる第２の長辺側面５３ｄの内面と対向するロールケース４０の長辺側面４３の外面の例えば一部にラップフィルム２ｂに対して所要の摩擦力を付与する加工部、もしくは粘着部を形成することができる。
【００４３】
このように第２の実施形態例によれば、ロールケース４０として市販のラップフィルムケースを用いる場合においても、ラップフィルム２ｂの切断と同時にその切断端を常に所要量外部に突出させることができる。
しかしながら、図１０に概略斜視図を示すように、切断刃を具備しないロールケース４０を用い、このラップフィルム２ｂの引き出し面を、上述したラップフィルムケース５１の第２の長辺側面５３ｄに対向させ、且つその引き出し方向を開口５５に向かう方向に収容させることにより、図９で説明したと同様の作業によって同様の効果を奏することができる。そして、この場合、ロールケースのラップフィルムを使い切って、ロールケースが使用済みになったときに、ロールケースを交換することによって、ロールケースにおける切断刃の省略によって資源の節約に貢献することができるものである。
【００４４】
上述したように、本発明構成によれば、常時ラップフィルムの使用に際して、その先端が常に所要の長さに導出された状態にあるので、切断先端を簡単に摘みあげることができるものである。
【００４５】
また、上述したラップフィルムケース５１を用い、これに収容するロールケース４０として市販のフィルム切断刃を有するラップフィルムケースを用いれば、従来において問題となっていたラップフィルムの先端の取り出しの煩雑さを改善できる。
また、ロールケース４０として切断刃を具備しないロールケースを交換使用する使用態様によれば、各フィルムロールごとに切断刃を設ける場合の、資源の問題、分別の煩雑な作業を回避できるものである。
【００４６】
なお、本発明によるラップフィルムケースは、上述した例に限られるものではなく、本発明構成において、種々の変更を行うことができるものである。
【図面の簡単な説明】
【００４７】
【図１】本発明によるラップフィルムケースの一例の外観斜視図である。
【図２】ラップフィルムケースの一例の展開斜視図である。
【図３】ラップフィルムケースの一例の要部の展開図である。
【図４】ラップフィルムケースの他の一例の要部の展開図である。
【図５】Ａ〜Ｃは、本発明によるラップフィルムケースの一例の動作を説明する概略断面図である。
【図６】ラップフィルムケースの他の一例の一部を断面とした外観斜視図である。
【図７】ラップフィルムケースの他の一例の分解斜視図である。
【図８】ラップフィルムケースの他の一例の展開斜視図である。
【図９】Ａ〜Ｃはそれぞれラップフィルムケースの他の一例の動作を説明する概略断面図である。
【図１０】ロールケースの一例の概略斜視図である。
【符号の説明】
【００４８】
１，５１……ラップフィルムケース、２……ラップフィルムロール、２ａ……巻き芯、２ｂ……ラップフィルム、２ｂｓ……ラップフィルムの先端、３，５３……ケース本体、３ｂ，５３ｂ……底面、３ｃ，５３ｃ……第１の長辺側面、３ｄ，５３ｄ……第２の長辺側面、３ｅ，５３ｅ……第１の短辺側面、３ｆ，５３ｆ……第２の短辺側面、４，５４……蓋体、４ａ，５４ａ……上面部、４ｂ……ガイド片、５，５５……開口、６，５６……切断刃、７……折り曲げ線、８，５８……接合しろ（糊しろ）部、９……溝加工部、１０……突条、４０……ロールケースレーザ、４１……切断刃、４２……ロールケース本体、４３……ロールケース蓋体、４４……長辺側面、４５……長辺蓋体側面、５４ｂ……保護カバー、６０……弾性体、７０……切断刃カバーシール
【図１】
2007161284.tif 000003
【図２】
2007161284.tif 000004
【図３】
2007161284.tif 000005
【図４】
2007161284.tif 000006
【図５】
2007161284.tif 000007
【図６】
2007161284.tif 000008
【図７】
2007161284.tif 000009
【図８】
2007161284.tif 000010
【図９】
2007161284.tif 000011
【図１０】
2007161284.tif 000012
【手続補正書】
【提出日】平成18年6月22日(2006.6.22)
【手続補正１】
【補正対象書類名】特許請求の範囲
【補正対象項目名】全文
【補正方法】変更
【補正の内容】
【特許請求の範囲】
【請求項１】
ラップフィルムロールが収容されるケース本体と、蓋体とを有し、
上記ケース本体は、底面と該底面の長手方向に沿う相対向する第１および第２の長辺側面と、該第１および第２の長辺側面の両端間に差し渡る第１および第２の短辺側面とを有し、上記底面と対向する上面が開放されてラップフィルムロールの出し入れがなされる開口とされ、
上記蓋体は、上記開口を開閉する上面部とガイド片とを有して成り、上記ガイド片の外面に上記蓋体の復元に際して上記ガイド片と共に上記ラップフィルムの先端部を外部に押し出し突出させるための所要の摩擦力を付与する粘着部が形成され、
上記蓋体の上面部は、上記開口に臨む上記第１の長辺側面の開口縁部に対して回動可能に配置され、該回動によって上記開口内に押圧挿入可能の外形状を有し、かつ上記押圧を解除することによって上記開口縁位置に復元するようになされ、
上記ガイド片は、上記上面部の遊端側の縁部に回動可能に配置され、
上記上面部の上記ケース本体内への押圧復元に応じて上記第２の長辺側面の内面に沿って移動する構成とされ、
上記第２の長辺側面の上記開口に臨む開口縁部に上記ラップフィルムを切断する切断刃が配置され、
上記ラップフィルムは、初期の使用開始の状態では、上記ラップフィルムロールからラップフィルムの先端部が上記ガイド片と上記第２の長辺側面の内面との間から上記切断刃を超えて上記ケース本体から引き出された状態とされ、
上記ラップフィルムの切断にあっては、上記蓋体の上記上面部の押圧によって上記蓋体を上記ケース本体内に所要量押入させた状態で、上記切断刃によって上記ラップフィルムを切断し、切断後上記上面部に対する押圧を解除することによって上記蓋体を元位置に復元させ、この復元量に応じた長さをもって、上記蓋体と上記ラップフィルムとの摩擦により上記ラップフィルムの先端部が、外部に押し出されて突出した状態で残される構成としたことを特徴とするラップフィルムケース。
【請求項２】
上記底面と、上記第１および第２の長辺側面と、上記第１および第２の短辺側面と、上記蓋体とが連続する１枚のシートによって構成されたことを特徴とする請求項１に記載のラップフィルムケース。
【請求項３】
上記第１の長辺側面と上記上面部との稜線形状をケース内面側に溝を有する形状、もしくは突条を有する形状とすることによって上記蓋体の回動可能なヒンジ機能と上記元位置への復元力を付与する構成としたことを特徴とする請求項２に記載のラップフィルムケース。
【請求項４】
上記蓋体の上記ガイド片を、上記ケース本体に対する蓋体の押入量の規制体とすることを特徴とする請求項１に記載のラップフィルムケース。
【請求項５】
ラップフィルムロールが収容されたロールケースを収納するケース本体と蓋体とを有し、
上記ケース本体は、底面と該底面の長手方向に沿う相対向する第１および第２の長辺側面と、該第１および第２の長辺側面の両端間に差し渡る第１および第２の短辺側面とを有し、上記底面と対向する上面が開放されてラップフィルムロールの出し入れがなされる開口とされ、
上記蓋体は、上記開口に臨む上記第１の長辺側面の開口縁部に対して回動可能に配置され、該回動によって上記開口内に押圧挿入可能の外形状を有し、
上記第２の長辺側面の上記開口に臨む開口縁部に上記ラップフィルムを切断する切断刃が配置され、
上記ケース本体内に上記ロールケースと上記ケース本体の底面との間に弾性体を介在させて収容し、
上記ラップフィルムは、初期の使用開始の状態では、上記ロールケース内のラップフィルムロールからラップフィルムの先端部が上記ロールケースの外面と上記第２の長辺側面の内面との間から上記切断刃を超えて上記ケース本体から引き出された状態とされ、
上記ラップフィルムの切断にあっては、上記蓋体を上記ケース本体内のロールケースとともに上記弾性体の偏倚力に抗して所要量押入させた状態で、上記切断刃によって上記ラップフィルムを切断し、切断後は、上記蓋体に対する押圧を解除することによって上記弾性体の偏倚力により上記蓋体および上記ロールケースを元位置に復元させ、この復元量に応じた長さをもって、上記ラップフィルムの先端部が、外部に押し出されて突出した状態で残される構成としたことを特徴とするラップフィルムケース。
【請求項６】
上記弾性体が上記ケース本体の底面に配置されたことを特徴とする請求項５に記載のラップフィルムケース。
【請求項７】
上記ロールケースは、ラップフィルムの切断刃を具備しないあるいは具備するロールケースであることを特徴とする請求項５に記載のラップフィルムケース。
【請求項８】
上記底面と、上記第１および第２の長辺側面と、上記第１および第２の短辺側面と、上記蓋体とが連続する１枚のシートによって構成されたことを特徴とする請求項５に記載のラップフィルムケース。
【手続補正２】
【補正対象書類名】明細書
【補正対象項目名】０００９
【補正方法】変更
【補正の内容】
【０００９】
本発明による第１のラップフィルムは、ラップフィルムロールが収容されるケース本体と、蓋体とを有し、上記ケース本体は、底面と該底面の長手方向に沿う相対向する第１および第２の長辺側面と、該第１および第２の長辺側面の両端間に差し渡る第１および第２の短辺側面とを有し、上記底面と対向する上面が開放されてラップフィルムロールの出し入れがなされる開口とされ、上記蓋体は、上記開口を開閉する上面部とガイド片とを有してなり、上記ガイド片の外面に上記蓋体の復元に際して上記ガイド片と共に上記ラップフィルムの先端部を外部に押し出し突出させるための所要の摩擦力を付与する粘着部が形成され、上記蓋体の上面部は、上記開口に臨む上記第１の長辺側面の開口縁部に対して回動可能に配置され、該回動によって上記開口内に押圧挿入可能の外形状を有し、かつ上記押圧を解除することによって上記開口縁位置に復元するようになされ、上記ガイド片は、上記上面部の遊端側の縁部に回動可能に配置され、上記上面部の上記ケース本体内への押圧復元に応じて上記第２の長辺側面の内面に沿って移動する構成とされ、上記第２の長辺側面の上記開口に臨む開口縁部に上記ラップフィルムを切断する切断刃が配置され、上記ラップフィルムは、初期の使用開始の状態では、上記ラップフィルムロールからラップフィルムの先端部が上記ガイド片と上記第２の長辺側面の内面との間から上記切断刃を超えて上記ケース本体から引き出された状態とされ、上記ラップフィルムの切断にあっては、上記蓋体の上記上面部の押圧によって上記蓋体を上記ケース本体内に所要量押入させた状態で、上記切断刃によって上記ラップフィルムを切断し、切断後上記上面部に対する押圧を解除することによって上記蓋体を元位置に復元させ、この復元量に応じた長さをもって、上記蓋体と上記ラップフィルムとの摩擦により上記ラップフィルムの先端部が、外部に押し出されて突出した状態で残される構成としたことを特徴とする。